【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
ネットワークプロトコルスタックに従って形成され、セルラー基地局からオフロードされるユーザデータを含む無線ローカルエリアネットワーク（ＷＬＡＮ）パケットを受信するよう構成されたユーザ機器（ＵＥ）のための装置であって、
前記ユーザデータがデータ無線ベアラ識別子（ＤＲＢＩＤ）に基づいて送信されるべき前記ネットワークプロトコルスタックの上層に関連付けられたデータ無線ベアラの前記ＤＲＢＩＤを格納するよう構成されたメモリと、
ベースバンド処理回路と
を備え、
前記ベースバンド処理回路は、
前記データ無線ベアラを識別すべく、前記ＷＬＡＮパケットの第１データユニットを処理し、前記第１データユニットは、前記ネットワークプロトコルスタックの下層に関連付けられ、ヘッダとデータフィールドを含み、前記ヘッダは、前記ＤＲＢＩＤを有し、前記データフィールドは、前記ユーザデータを含む第２データユニットを有し、
前記第１データユニットからの前記ＤＲＢＩＤ及び前記ヘッダを有さない前記第２データユニットを生成し、
前記ユーザデータを含む前記第２データユニットを前記データ無線ベアラで送信するように構成される、装置。
【請求項２】
前記下層は、ＷＬＡＮ物理レイヤに対応する、請求項１に記載の装置。
【請求項３】
前記下層は、ＷＬＡＮデータリンクレイヤに対応する、請求項１に記載の装置。
【請求項４】
前記上層は、パケットデータコンバージェンスプロトコル（ＰＤＣＰ）レイヤに対応する、請求項１に記載の装置。
【請求項５】
前記ヘッダは、予約されたビットである１または複数のビットを含む、請求項１から４の何れか１つに記載の装置。
【請求項６】
前記データフィールドは、可変サイズである、請求項１から４の何れか１つに記載の装置。
【請求項７】
前記ベースバンド処理回路は、ユーザデータオフロードを構成する無線リソース制御（ＲＲＣ）メッセージを処理するようにさらに構成される、請求項１から４の何れか１つに記載の装置。
【請求項８】
前記ＷＬＡＮパケットは、ＷＬＡＮを介して前記ＵＥに前記ユーザデータを転送するためのイーサタイプを含む、請求項１から４の何れか１つに記載の装置。
【請求項９】
前記データ無線ベアラは、分割ベアラである、請求項１から４の何れか１つに記載の装置。
【請求項１０】
無線通信システム用のユーザ機器（ＵＥ）のための装置であって、
データ無線ベアラ識別子（ＤＲＢＩＤ）及びユーザデータを含む第１データユニットを格納するよう構成されたメモリと、
プロセッサと
を備え、
前記プロセッサは、
前記ユーザデータが前記ＤＲＢＩＤに基づいて送信されるべきパケットデータコンバージェンスプロトコル（ＰＤＣＰ）レイヤに関連付けられたデータ無線ベアラを識別すべく、無線ローカルエリアネットワーク（ＷＬＡＮ）レイヤからの前記第１データユニットを処理し、
前記第１データユニットからの前記ＤＲＢＩＤ及び関連付けられたヘッダ情報の除去により、前記ユーザデータを含む第２データユニットを生成し、
前記ＰＤＣＰレイヤに関連付けられた前記データ無線ベアラで前記第２データユニットを送信するように構成される、装置。
【請求項１１】
前記ＷＬＡＮレイヤは、物理またはデータリンクレイヤである、請求項１０に記載の装置。
【請求項１２】
前記プロセッサは、ユーザデータオフロードを構成する無線リソース制御（ＲＲＣ）メッセージを処理するようにさらに構成される、請求項１０に記載の装置。
【請求項１３】
前記データ無線ベアラは、分割ベアラである、請求項１０から１２の何れか１つに記載の装置。
【請求項１４】
前記プロセッサは、前記分割ベアラのパケットを並び替えするようにさらに構成される、請求項１３に記載の装置。
【請求項１５】
セルラー基地局の１または複数のプロセッサに、
パケットデータコンバージェンスプロトコル（ＰＤＣＰ）レイヤからの第１パケットを処理する工程と、
前記第１パケットと、前記第１パケットが関連付けられたデータ無線ベアラを識別するデータ無線ベアラ識別子（ＤＲＢＩＤ）を含む第２パケットを生成する工程と、
ユーザ機器（ＵＥ）と前記セルラー基地局との間の無線ローカルエリアネットワーク（ＷＬＡＮ）接続を介した前記ＵＥへの送信のために下層に前記第２パケットを提供する工程と
を実行させるためのプログラム。
【請求項１６】
前記第２パケットが前記データ無線ベアラに関連付けられたユーザデータを含むことを示す前記第２パケットに対するイーサタイプを含めることを含む処理を、前記１または複数のプロセッサにさらに実行させる、請求項１５に記載のプログラム。
【請求項１７】
前記ＷＬＡＮ接続を介したユーザデータオフロードを構成する無線リソース制御（ＲＲＣ）メッセージを生成することを含む処理を、前記１または複数のプロセッサにさらに実行させる、請求項１５に記載のプログラム。
【請求項１８】
前記ＷＬＡＮ接続を介してパケットを送信するために前記データ無線ベアラは、分割ベアラである、請求項１５に記載のプログラム。
【請求項１９】
前記下層は、ＷＬＡＮ物理レイヤである、請求項１５に記載のプログラム。
【請求項２０】
前記下層は、ＷＬＡＮデータリンクレイヤである、請求項１５に記載のプログラム。
【請求項２１】
請求項１５から２０の何れか１つに記載のプログラムを格納するコンピュータ可読記録媒体。
【手続補正２】
【補正対象書類名】明細書
【補正対象項目名】０１１５
【補正方法】変更
【補正の内容】
【０１１５】
本発明の根本的な原理から逸脱することなく、上に説明された実施形態の詳細に対して、多くの変更がなされてよいことが当業者により理解されるであろう。従って、本発明の範囲は、以下の特許請求の範囲によってのみ決定されるべきである。
［項目１］
セルラーデータ及びコントロールトラフィックを通信するためのユーザ機器（ＵＥ）であって、
ロングタームエボリューション（ＬＴＥ）ワイヤレスネットワークの無線インタフェースを介してセルラーコントロールトラフィックを進化型ユニバーサル地上波無線アクセスネットワークノードＢ（ｅＮＢ）と通信し、
ワイヤレスローカルエリアネットワーク（ＷＬＡＮ）において、ＷＬＡＮポイントツーポイント通信リンクを介した上記ｅＮＢを有するセルラーデータトラフィックの通信のために上記ｅＮＢを有する上記ＷＬＡＮポイントツーポイント通信リンクを確立し、
上記セルラーデータトラフィックを上記ＷＬＡＮポイントツーポイント通信リンクを介して上記ｅＮＢへ通信する回路を備えるＵＥ。
［項目２］
上記ＷＬＡＮポイントツーポイント通信リンクは一組のＷＬＡＮポイントツーポイント通信リンクを備え、上記一組のＷＬＡＮポイントツーポイント通信リンクの各メンバは、上記ｅＮＢからの制御メッセージにおいて受信されるデータ無線ベアラ（ＤＲＢ）識別子により識別される、項目１に記載のＵＥ。
［項目３］
上記ＷＬＡＮのネットワークプロトコルスタックにおいて存在するインターネットプロトコル（ＩＰ）レイヤの複数のＩＰパケットをカプセル化するためのレイヤ１及びレイヤ２のパケットフォーマットに従う上記セルラーデータトラフィックを上記回路は更に通信する項目１又は２に記載のＵＥ。
［項目４］
上記ＷＬＡＮのネットワークプロトコルスタックにおいて存在するインターネットプロトコル（ＩＰ）レイヤの複数のＩＰパケットをカプセル化するためのＷＬＡＮトンネリングプロトコル（ＷＬＴＰ）パケットフォーマットに従って上記セルラーデータトラフィックを上記回路は更に通信する項目１又は２に記載のＵＥ。
［項目５］
上記ＷＬＡＮのネットワークプロトコルスタックにおいて存在するパケットデータコンバージェンスプロトコル（ＰＤＣＰ）レイヤの複数のＰＤＣＰパケットをカプセル化するためのＷＬＡＮトンネリングプロトコル（ＷＬＴＰ）パケットフォーマットに従って上記セルラーデータトラフィックを上記回路は更に通信する項目１又は２に記載のＵＥ。
［項目６］
上記ＷＬＡＮのネットワークプロトコルスタックにおいて存在する無線リンクコントロール（ＲＬＣ）レイヤの複数のＲＬＣパケットをカプセル化するためのＷＬＡＮトンネリングプロトコル（ＷＬＴＰ）パケットフォーマットに従って上記セルラーデータトラフィックを上記回路は更に通信する項目１又は２に記載のＵＥ。
［項目７］
インターネットプロトコル（ＩＰ）レイヤより下又はパケットデータコンバージェンスプロトコル（ＰＤＣＰ）レイヤより下に規定されたＷＬＡＮトンネリングプロトコル（ＷＬＴＰ）トンネリングレイヤにおいて上記セルラーデータトラフィックを上記回路は更に通信し、上記ＷＬＴＰトンネリングレイヤは、ＷＬＴＰカプセル化レイヤによりカプセル化されたＷＬＴＰトランスポートレイヤを含む、項目１又は２に記載のＵＥ。
［項目８］
セルラーネットワークにおけるワイヤレス通信のためのユーザ機器（ＵＥ）であって、
ワイヤレスローカルエリアネットワーク（ＷＬＡＮ）接続を介して受信する無線周波数受信機と、
進化型ユニバーサル地上波無線アクセスネットワークノードＢ（ｅＮＢ）によって、ユーザプレーン及び制御プレーンセルラーパケットと、
上記ＷＬＡＮ接続にわたって受信される上記ユーザプレーン及び上記制御プレーンセルラーパケットにおけるＷＬＡＮトンネリングプロトコル（ＷＬＴＰ）パケットフォーマットを識別するベースバンドコントローラとを備え、上記ＷＬＴＰパケットフォーマットはＷＬＴＰパケットヘッダ及びＷＬＴＰペイロードを有する、ＵＥ。
［項目９］
上記ＷＬＴＰパケットフォーマットは、ユーザデータグラムプロトコル（ＵＤＰ）／インターネットプロトコル（ＩＰ）フレームに含まれ、上記ＵＤＰ／ＩＰフレームは、上記ＷＬＴＰペイロードを含むことを示す予め規定されたＵＤＰポート値を有する、項目８に記載のＵＥ。
［項目１０］
上記ＷＬＴＰパケットフォーマットは、米国電気電子技術者協会（ＩＥＥＥ）８０２．２規格フレームパケットヘッダにおいて含まれるイーサタイプフィールドの予め規定された値により識別されるイーサネット（登録商標）フレームに含まれる項目８に記載のＵＥ。
［項目１１］
上記ＷＬＴＰペイロードは、上記ＷＬＡＮ接続を経由して上記ＵＥと上記ｅＮＢとの間に交換される、インターネットプロトコル（ＩＰ）パケット、パケットデータコンバージェンスプロトコル（ＰＤＣＰ）パケット、無線リソース制御（ＲＲＣ）パケット、又は制御メッセージの形式であり得る、項目８から１０のいずれか１項に記載のＵＥ。
［項目１２］
上記ＷＬＴＰパケットヘッダは、セルラーパケットのシーケンシャルな順序を確立すべくシーケンス番号を含む、項目８から１０のいずれか１項に記載のＵＥ。
［項目１３］
上記ＷＬＴＰパケットヘッダは、上記ＷＬＴＰペイロードを上記ＷＬＡＮ接続のサービス品質（ＱｏＳ）を表す情報を含むものとして識別する項目８から１０のいずれか１項に記載のＵＥ。
［項目１４］
上記ＷＬＴＰパケットヘッダは、上記ＷＬＴＰペイロードを上記ＷＬＴＰペイロードについてのデータ無線ベアラの識別子を含むものとして識別する、項目８から１０のいずれか１項に記載のＵＥ。
［項目１５］
クライアントと基地局とのＹｙインタフェースにより規定されるワイヤレスローカルエリアネットワーク（ＷＬＡＮ）ポイントツーポイント通信リンクを確立する方法であって、
上記クライアントと上記基地局とのＵｕインタフェースを介して第１の制御メッセージを上記基地局から受信する段階と、
上記ＷＬＡＮポイントツーポイント通信リンクを識別するための上記基地局から提供される第１の識別子を上記第１の制御メッセージから判断する段階と、
上記基地局に第２の制御メッセージを送信し、上記ＷＬＡＮポイントツーポイント通信リンクを識別するために上記クライアントにより提供される第２の識別子を提供する段階とを備え、
上記第１の識別子及び上記第２の識別子は、上記クライアント及び上記基地局の上記Ｙｙインタフェースにより規定される上記ＷＬＡＮポイントツーポイント通信リンクを集合的に識別する、方法。
［項目１６］
ユーザ機器（ＵＥ）毎のベースで、上記ＷＬＡＮポイントツーポイント通信リンクを確立するための上記第１の識別子として、上記基地局の媒体アクセス制御（ＭＡＣ）アドレスを受信する段階を更に備える、項目１５に記載の方法。
［項目１７］
上記ＷＬＡＮポイントツーポイント通信リンクは、上記クライアントの複数のデータ無線ベアラ（ＤＲＢ）に対応する複数のＷＬＡＮポイントツーポイントリンクを有する、項目１５に記載の方法。
［項目１８］
複数のデータ無線ベアラ（ＤＲＢ）に関連付けられた予め規定されたサービス品質（ＱｏＳ）パラメータの適用のために、対応する上記複数のＤＲＢへの上記ＷＬＡＮポイントツーポイント通信リンクを介して受信されるセルラートラフィックを上記基地局がマッピングすることを許容すべく、上記クライアントから通信されるパケットヘッダ情報におけるＤＲＢ情報を通信する段階を更に備える項目１５に記載の方法。
［項目１９］
上記第１の制御メッセージは、ｅＮＢでサポートされた多数のデータ無線ベアラ（ＤＲＢ）を示す無線リソース制御（ＲＲＣ）メッセージを有する、項目１５に記載の方法。
［項目２０］
上記Ｙｙインタフェースを介して第３の制御メッセージを送信する段階を更に備える、項目１５に記載の方法。
［項目２１］
実行された場合、項目１５から２０のいずれか１項に記載の方法を実装する機械可読命令を備える機械可読ストレージ。
［項目２２］
項目１５から２０のいずれか１項に記載の方法を実行するための手段を備えるシステム。
［項目２３］
項目１５から２０のいずれか１項に記載の方法を実行するためのロジックを備えるＵＥ。